(57)【要約】【課題】従来の誤操作防止モードでは、必ずキーを２回操作しないとキーエントリーされなかったり、長押ししないとキーエントリーがされないなど、操作ミスは軽減されるが、誰にでも必要なモードではなかった。【解決手段】通常モードでの操作で、キー操作ミスが多発するユーザーが使用していると判断した場合のみ誤操作防止モードへ切り替わるので、ミスの少ないユーザーに対しては通常モードで、ミスの多いユーザーに対しては誤操作防止モードでのキー操作ができ上記課題を解決できる。【選択図】    図７
2005049548.tif 000002
【特許請求の範囲】
【請求項１】
ジョブ設定を行うための複数の表示画面を切り替え表示し、この複数の表示画面は基本画面とこの基本画面から切り替え可能な複数の機能画面とからなる操作表示部を有する画像形成装置において、上記操作表示部に表示されたキーを１回操作することによりキーがエントリーされる通常モードと、上記操作表示部に表示されたキーのうち同じキーを２回連続して操作することによりキーがエントリーされる誤操作防止モードと、前記操作表示部に表示された画面のキー以外の領域が操作されたことを判断する誤操作判断手段と、前記誤操作判断手段が、誤操作が所定回数以上連続して行われたと判断した場合は、前記誤操作防止モードへ切り替える第１のモード切り替え手段と、を有することを特徴とする画像形成装置。
【請求項２】
ジョブ設定を行うための複数の表示画面を切り替え表示し、この複数の表示画面は基本画面とこの基本画面から切り替え可能な複数の機能画面とからなる操作表示部を有する画像形成装置において、
上記操作表示部に表示されたキーを１回操作することによりキーがエントリーされる通常モードと、上記操作表示部に表示されたキーを所定時間以上操作した場合のみキーがエントリーされる誤操作防止モードと、前記操作表示部に表示された画面のキー以外の領域が操作されたことを判断する誤操作判断手段と、前記誤操作判断手段が、誤操作が所定回数以上連続して行われたと判断した場合は、前記誤操作防止モードへ切り替える第２のモード切り替え手段と、を有することを特徴とする画像形成装置。
【請求項３】
通常モードから誤操作防止モードへ切り替わるときには、それまで入力されたキー操作をクリアしてから誤操作防止モードへ切り替えるクリア手段を有することを特徴とする請求項１、２に記載の画像形成装置。
【請求項４】
誤操作防止モードである旨を表示する誤操作防止モード表示手段を有することを特徴とする請求項１〜３に記載の画像形成装置。
【請求項５】
前記誤操作防止モードのときに１つのジョブが終了すると通常モードへ切り替わる第３のモード切り替え手段とを有することを特徴とする請求項１〜４に記載の画像形成装置。
【発明の詳細な説明】
【０００１】
【発明の属する技術分野】
本発明は、コピー機能を有するデジタル複写機、ファクシミリ、複合装置などの画像形成装置について、特にジョブ設定を行うための表示画面でのキー操作のミスを減らす誤操作防止モードを有する画像形成装置に関する。
【０００２】
【従来の技術】
近年、複写機、スキャナ、ファクシミリ、プリンタ等のオフィス機器では、それぞれ単体専用機として多機能化、高速化、低価格化等が進む一方で、これらの機能を１つにまとめた複合装置が一般的になりつつある。また複写機単体としてもジョブ内容が充実しており、画像の回転処理、枠消し、２ｉｎ１出力、４ｉｎ１出力、「マル秘」「重要」などのオーバーレイ、合紙モードなどができることはあたりまえである。さらにこれらの複合装置には後処理装置がオプションで取り付けられることにより、印字物にパンチ穴を開けてみたり、ステイプル処理ができたりして簡単な製本機能を持つものもある。
【０００３】
その他スキャナの機能としては、ネットワーク回線を介して指定したパソコンに画像を送ることもできる。ファクシミリやプリンターは従来と同じように用いることも可能であるし、当然ファクシミリやプリンター出力に対しても上述した処理はできる。このように近年の複合装置はユーザーによる複雑なジョブ設定が可能になってきている。
【０００４】
このようにさまざまな機能を有する複合装置のような画像形成装置では、複雑な設定を行うことができる反面、ＬＣＤ表示部の１画面あたりの操作キーの数はかなり多くなってきているので操作ミスによるキーエントリーがされることがある。そこで同じキーを２回連続して操作することによりキーがエントリーされる誤操作防止モードや所定時間以上操作した場合のみキーがエントリーされる誤操作防止モードなどがある（例えば、特許文献１参照。）。
【０００５】
【特許文献１】
特開２００２−３３３９４６号公報
【０００６】
【発明が解決しようとする課題】
しかし、上記誤操作防止モードは誤操作は減るが操作ミスをしないユーザーにとっては操作が極めて遅くなり、むしろ嫌がられる機能である。このように操作ミスが多いユーザーにとっては誤操作防止モードはメリットがあるが、操作ミスをしないユーザーにとっては誤操作防止モードは邪魔なモードであった。本願発明は操作ミスの多いユーザー、少ないユーザー、操作ミスの多い画面、少ない画面などに応じて、１回のキー操作でキーがエントリーされる通常モードと、操作ミスが多い場合は上記誤操作防止モードに切り替わる操作表示部を有する画像形成装置を提供することを目的とする。
【０００７】
【課題を解決するための手段】
上記課題を解決するために、本願第１の発明は、ジョブ設定を行うための複数の表示画面を切り替え表示し、この複数の表示画面は基本画面とこの基本画面から切り替え可能な複数の機能画面とからなる操作表示部を有する画像形成装置において、上記操作表示部に表示されたキーを１回操作することによりキーがエントリーされる通常モードと、上記操作表示部に表示されたキーのうち同じキーを２回連続して操作することによりキーがエントリーされる誤操作防止モードと、前記操作表示部に表示された画面のキー以外の領域が操作されたことを判断する誤操作判断手段と、前記誤操作判断手段が、誤操作が所定回数以上連続して行われたと判断した場合は、前記誤操作防止モードへ切り替える第１のモード切り替え手段と、を有することを特徴とする画像形成装置を用いる。
【０００８】
本願第２の発明では、ジョブ設定を行うための複数の表示画面を切り替え表示し、この複数の表示画面は基本画面とこの基本画面から切り替え可能な複数の機能画面とからなる操作表示部を有する画像形成装置において、上記操作表示部に表示されたキーを１回操作することによりキーがエントリーされる通常モードと、上記操作表示部に表示されたキーを所定時間以上操作した場合のみキーがエントリーされる誤操作防止モードと、前記操作表示部に表示された画面のキー以外の領域が操作されたことを判断する誤操作判断手段と、前記誤操作判断手段が、誤操作が所定回数以上連続して行われたと判断した場合は、前記誤操作防止モードへ切り替える第２のモード切り替え手段と、を有することを特徴とする画像形成装置を用いる。
【０００９】
本願第３の発明は、通常モードから誤操作防止モードへ切り替わるときには、それまで入力されたキー操作をクリアしてから誤操作防止モードへ切り替えるクリア手段を有することを特徴とする第１、２の発明に記載の画像形成装置を用いる。
【００１０】
本願第４の発明は、誤操作防止モードである旨を表示する誤操作防止モード表示手段を有することを特徴とする第１〜３の発明に記載の画像形成装置を用いる。
【００１１】
本願第５の発明は、前記誤操作防止モードのときに１つのジョブが終了すると通常モードへ切り替わる第３のモード切り替え手段とを有することを特徴とする第１〜４の発明に記載画像形成装置を用いる。
【００１２】
【作用】
本願第１、２の発明は、操作表示部のキー以外の領域が操作されるのは、操作ミスをしているものと判断し、この回数が多い場合は誤操作防止モードにするので、ミスの少ないユーザーや、ミスの少ない画面においては、通常モードでのキーエントリーができ、ミスの多いユーザーや、ミスの多い画面においては、誤操作防止モードとなり、以降のミスが軽減される。
【００１３】
本願第３の発明は、誤操作が多い場合は、それまで入力した設定も正しいか否かが疑わしいので、通常モードから誤操作防止モードへ切り替わるタイミングで、それまでの入力はクリアする。
【００１４】
本願第４の発明は、通常モードから誤操作防止モードへ切り替わるときに、ユーザーに知らせることで、以降のキー入力方法が、２回押し、または長押しで操作する必要があることを知ることができる。
【００１５】
本願第５の発明は、ジョブの終了とともに誤操作防止モードから通常モードへ切り替わるので、ジョブが終了するとユーザーも変わるので、次のユーザーは通常モードでのキー操作からスタートできる。
【００１６】
【実施例】
本願発明を採用する複合装置を図１の概略図に基づいて説明する。同図にこの複合装置１はコピー、プリンタ、ファクシミリ、スキャナの機能を有する複合装置で、ＣＰＵ２、ＲＯＭ３、ＲＡＭ４、メール作成手段５、プリンタコントローラ６、プリンタ部７、後処理装置用Ｉ／Ｆ８、後処理装置９、操作パネル１０、スキャナ用Ｉ／Ｆ１１、スキャナ部１２、ＤＦ１３、バッファーメモリ１４、ビットマップメモリ１５、ＣＯＤＥＣ１６、モデム１７、ＮＣＵ１８、公衆回線１９、ネットワークＩ／Ｆ２０、バス２１などから構成されている。またこの複合装置１はネットワークケーブル２２を介してＰＣ（２４，２５）やプリンタ２３と接続されている。
【００１７】
詳しくは、前記ＣＰＵ２は当該画像形成装置１の各構成を制御しており、各種プログラムを記憶した前記ＲＯＭ３、ユーザーチョイスデータ、設定情報、トータルカウントデータ、各種フォントデータなどを記憶した前記ＲＡＭ４に接続されている。
【００１８】
メール作成手段５は、スキャナ部１２で読み取られた画像データを、予め登録した相手先へ電子メールに添付して送信するときの電子メールを作成する手段である。
【００１９】
前記プリンタコントローラ６は、接続されたパソコンから送信され、バッファメモリ１４の受信領域に格納されているプリントコマンド（ＰＤＬ）やジョブ情報を解析し、中間言語情報を生成するものである。この中間言語情報はバッファメモリ１４の中間言語情報記憶領域に格納される。
【００２０】
前記プリンタ部７は、前記ビットマップメモリ１５に展開されている画像データを順次このプリンタ部７の作像部のＬＳＵ又はＬＰＨなどの潜像を書き込む光学装置に送り、この作像部でトナー像を形成し、これを給紙カセットから順次給紙、搬送される用紙に転写し、定着、排紙される。
【００２１】
前記後処理装置用Ｉ／Ｆ８と前記後処理装置９は、この複合装置１から印刷されて排出される印刷物に、ステイプル、パンチなどの後処理、ソート、グループなどの仕分けなどを行う後処理装置９と、これを複合装置１本体と接続するためのインターフェース及びケーブルである。
【００２２】
前記操作パネル１０は、図２に示すように大型のＬＣＤデバイスであるＬＣＤ表示部１０１、スタートキー１０２、ストップ／クリアキー１０３、リセットキー１０４などの複数の操作キーなどから構成されている。スタートキー１０２はコピー開始や、スキャナ読み取り開始、ファックス送信開始のキーである。ストップ／クリアキー１０３は直前の設定をキャンセルしたり、ジョブを中断するキーである。リセットキー１０４は設定を全てクリアし、画面もＬＣＤ表示部１０１に表示中の画面もいかなる画面からでも基本画面に戻すキーである。その他テンキー、割り込みキー、節電キー、初期設定キー、部門管理キーや、この画像形成装置は複合装置なので操作表示部はコピー機能画面、プリンタ機能画面、ファクシミリ機能画面、スキャナ機能画面を操作パネル１０の左にある選択キーにより切り替え可能である。
【００２３】
前記ＬＣＤ表示部１０１に表示される画面は、図３に示す基本画面と、この画面の下にある複数のタブのうち「ユーザー機能」を選択すると図４に示す「ユーザー機能画面」（機能画面の１つ）が表示される。さらに「機能リスト」のタブを選択すると図５に示す「機能リスト画面」（機能画面の１つ）が表示される。これらの画面の全てに共通して表示される画面の上部の黒帯表示部には、「コピーできます。」の表示、選択カセット１、倍率、セット枚数の表示されている。また上記図５の「機能リスト画面」では、例えば機能リストにある「集約」キーを選択すると図６に示す「集約機能画面」（機能画面の１つ）が表示される。ここで図５の「機能画面リスト画面」のような、機能キーが密集してレイアウトされている画面では、２つ以上のキーを操作するミスがある。このときには、操作キーと操作キーの間の、キー以外の領域も操作されるので、このキー以外の領域を操作される回数が多いほど、キー操作ミスが多いと判断できる。上記各画面で共通して表示される黒帯表示部の中央付近には、誤操作防止モードのときには「誤操作防止」の表示がされている。通常モードにおいては、図３、図４に示す画面の黒帯表示部のようにこの「誤操作防止」の表示はされていない。
【００２４】
スキャナＩ／Ｆ１１は、この複合装置１の上に置かれたスキャナ部１２とケーブルを介して接続し、このスキャナ部１２とＤＦ１３を制御するためのインターフェースである。
【００２５】
前記スキャナ部１２は、ＤＦ１３で１枚づつフィードされる、または１枚をコンタクトガラス上に置いた原稿にハロゲンランプまたは蛍光灯で光を当てその反射光をＣＣＤセンサで読み取り、このアナログ信号をＡ／Ｄ変換でデジタル信号に変換し画像処理部で画像処理をして後段のビットマップメモリ１５に展開していく。このビットマップメモリ１５は、前記スキャナ部１２からの画像データの他、ネットワークなどを介して接続されたパソコンから転送されてくるプリントコマンドを前記プリンタコントローラ７で解析し生成される中間言語情報、相手方ファクシミリ２６から公衆回線１９、ＮＣＵ１８、モデム１７を介して送られてくる画像データを必要に応じてＣＯＤＥＣ１６で伸張しフルビットマップの画像データとして展開、保持する手段である。このＣＯＤＥＣ１６は、プリントデータに含まれる画像データの符号化されたものを復号化するためにも用いられる。
【００２６】
前記バッファメモリ１４は、上述した受信画像領域や中間言語領域の他、通常メモリコピーやファクシミリのメモリ送信、予約送信を行う場合に、スキャナ部１２で読み取った画像データをＣＯＤＥＣ１６で符号化して記憶する。またスキャナ機能を用いる場合は、スキャナ部１２で読み取った画像データをＣＯＤＥＣ１６で符号化して記憶したものを外部のパソコンから読み取ることもできるし、同じようにファクシミリのポーリング機能では、相手方ファクシミリから読み出すことも可能である。近年は画像形成装置に比較的大きい容量の画像データ格納用のハードディスクを用いて画像メモリとしているのも多い。
【００２７】
前記モデム１７は、公衆回線１９から送信されてくるアナログ信号をデジタル信号に変換し、また逆にデジタル信号をアナログ信号に変換して公衆回線で送信するためのものであり、変調、復調を行ったり、ＨＤＬＣフレームのみを受信するなど行う。前記ＮＣＵ１８は、公衆回線への接続、ファクシミリと電話の切り替え、回線へのオンフック信号の送出、リング検出などを行う。
【００２８】
ネットワークＩ／Ｆ２０は、当該複合装置１をネットワークに接続するインターフェースである。ここではパソコン（２４、２５）やプリンタ２３や図示していないその他の接続機器とネットワークケーブル２２を介して接続されている。
【００２９】
前記バス２１は、上述した各構成のデータや信号のやり取りを行うバスである。それぞれ画像データ用のバスや制御信号用のバスがあるが、ここでは略して１つで表している。
【００３０】
本願発明の処理を図７のフロー図を用いて説明する。まず、操作表示部に表示されたキーを１回操作することによりキーがエントリーされる通常モードからスタートし（Ｓ１０１）、操作があったか否かを判断し（Ｓ１０２）、あればその操作が操作表示部に表示されたキーを操作したかを判断し（Ｓ１０３）、操作表示部に表示されたキーを操作した場合は、そのキー操作がエントリーされて（Ｓ１０４）、ミスカウントｎをクリアし、そのキーの対応する機能選択や、画面切り替えなどが行われて処理が終了する。
【００３１】
Ｓ１０３で、操作表示部に表示されたキーが操作されずに、つまり操作表示部のキー以外の領域が操作されたと判断した場合は、ミスカウントｎ＝ｎ＋１とし（Ｓ１０６）、続いてこのミスカウントｎが所定数Ｎ以上になったかを判断する（Ｓ１０７）。ミスカウントｎが所定数Ｎ以上で無ければ、Ｓ１０１に戻り、ミスカウントｎが所定数Ｎ以上となれば、つまり誤操作が多いと判断した場合は、本願第４の発明にあるように、たとえば図８のように操作表示部に誤操作防止モードへ切り替える旨をポップアップ表示するとともに（Ｓ１０８）、黒帯表示部には「誤操作防止」が表示され、本願第１の発明の、操作表示部に表示されたキーのうち同じキーを２回連続して操作することによりキーがエントリーされる誤操作防止モードへ、または本願第２の発明の、操作表示部に表示されたキーを所定時間以上操作した場合のみキーがエントリーされる誤操作防止モードへ切り替わる（Ｓ１０９）。さらに本願第３の発明の、それまでのキー入力された設定などはクリアする（Ｓ１１０）。ここで、上記Ｓ１０８と、Ｓ１１０は必須のものではないので、必要に応じてＳ１０８やＳ１１０を含む処理か含まない処理にするかを設計すればよい。
【００３２】
上記フローに従って、キー操作のミスの多いユーザーが使用した場合の一例を再び図７を用いて説明する。ここで所定数Ｎは２回とする。まず通常モードでスタートし（Ｓ１０１）、操作表示部のキーを操作しようとしたが、キーの無い領域のみに触れると、Ｓ１０２→Ｓ１０３→Ｓ１０６と進み、Ｓ１０６ではｎ＝１となる。続いてＳ１０７ではｎ＝１、Ｎ＝２でｎ≧Ｎは満たしていないのでＳ１０１に戻る。再び操作表示部のキーを操作しようとして、また失敗するとＳ１０２→Ｓ１０３→Ｓ１０６と進み、Ｓ１０６ではｎ＝２となる。続いてＳ１０７ではｎ＝２、Ｎ＝２でｎ≧Ｎは満たしＳ１０８に進み、操作表示部に誤操作防止モードへ切り替える旨表示され、誤操作防止モードへ切り替わるとともに（Ｓ１０９）、それまでのキー入力された設定などはクリアする（Ｓ１１０）。
【００３３】
続いて、本願第１の発明における誤操作防止モードにおける、キー操作のエントリーまでのフローを図９を用いて説明する。まず、誤操作防止モードではキーが操作された場合はキーがオンエッジか否かを判断し（Ｓ２０１）、キーがオンエッジであれば、１回目のキー操作からの時間を計時するタイマーｔ１をクリアしスタートする（Ｓ２０２）。続いて、このｔ１と１回目のキー操作から２回目のキー操作までの時間を制限時間であるＴ１とを比較し（Ｓ２０３）、ｔ１≧Ｔ１の場合、つまり１回目のキー操作から次の操作まで時間がＴ１以上あいた場合はＳ２０１に戻る。ｔ１≧Ｔ１でない場合は、次のキー操作がオンエッジか否かを判断し（Ｓ２０４）、キー操作がオンエッジであればこのキー操作と先のキー操作が同じキーであったかを判断し（Ｓ２０５）、同じであればこのキー操作がエントリーされて（Ｓ２０６）、対応する機能選択や画面切り替えなどが行われて処理が終了する。Ｓ２０６で先のキー操作と同じでないと判断された場合はキー操作がＳ２０２に戻る。このように、キー操作は連続２回操作しないとキーエントリーされないので誤操作防止になる。
【００３４】
本願第２の発明における誤操作防止モードにおける、キー操作のエントリーまでのフローを図１０を用いて説明する。まず、誤操作防止モードではキーが操作された場合はキーがオンエッジか否かを判断し（Ｓ３０１）、キーがオンエッジであれば、キーを押してからの時間を計時するタイマーｔ２をクリアしスタートする（Ｓ３０２）。続いて、このｔ２とキーを最低限押し続ける必要のある時間であるＴ２とを比較し（Ｓ３０３）、ｔ２≧Ｔ２でない場合はＳ３０１に戻り、ｔ２≧Ｔ２の場合、つまりキーをＴ２以上押している場合はこのキー操作がエントリーされて（Ｓ３０４）、対応する機能選択や画面切り替えなどが行われて処理が終了する。Ｓ３０１でキーがオンエッジでない場合は、キーがオン中か否かを判断し（Ｓ３０６）、キーがオン中で無ければＳ３０１に戻り、キーがオン中であれば、Ｓ３０３に進む。このように、キー操作を所定時間以上押し続けないとキー操作がエントリーされないので、うっかりキーに触れた場合などはキーエントリーされないので誤操作防止となる。
【００３５】
【発明の効果】
本願第１、２の発明を用いれば、操作表示部のキー以外の領域が操作されるのは操作ミスをしているものと判断し、この回数が多い場合は誤操作防止モードにするので、ミスの少ないユーザーやミスの少ない画面においては通常モードでのキーエントリーができ、ミスの多いユーザーやミスの多い画面においては誤操作防止モードとなり、以降のミスが軽減される。
【００３６】
本願第３の発明を用いれば、誤操作が多い場合は、それまで入力した設定も正しいか否かが疑わしいので、通常モードから誤操作防止モードへ切り替わるタイミングで、それまでの入力はクリアする。
【００３７】
本願第４の発明は、通常モードから誤操作防止モードへ切り替わるときにユーザーに知らせることで、以降のキー入力方法が、２回押し、または長押しで操作する必要があることを知ることができる。
【００３８】
本願第５の発明を用いれば、ジョブの終了とともに誤操作防止モードから通常モードへ切り替わるので、ジョブが終了するとユーザーも変わるので、次のユーザーは通常モードでのキー操作からスタートできる。
【図面の簡単な説明】
【図１】本願発明を採用する複合装置及び周辺機器のブロック図である。
【図２】本願発明を採用する複合装置の操作パネルである。
【図３】本願発明を採用する複合装置の操作パネルのＬＣＤ表示部に表示される基本画面である。
【図４】本願発明を採用する複合装置の操作パネルのＬＣＤ表示部に表示されるユーザー機能画面（機能画面の１つ）である。
【図５】本願発明を採用する複合装置の操作パネルのＬＣＤ表示部に表示される機能リスト画面（機能画面の１つ）であり、誤操作防止モードになっている。
【図６】本願発明を採用する複合装置の操作パネルのＬＣＤ表示部に表示される機能リスト画面で集約キーを操作して表示される集約画面（機能画面の１つ）である。
【図７】本願第１、２の発明の通常モードにおける、キー操作がエントリーされるまで、または誤操作防止モードへ切り替わるまでのフローである。
【図８】本願第４の発明の操作表示部に誤操作防止モードへ切り替える旨表示である。
【図９】誤操作防止モード（２度押し）における、キー操作がエントリーされるまでのフローである。
【図１０】誤操作防止モード（長押し）における、キー操作がエントリーされるまでのフローである。
１；複合装置
２；ＣＰＵ
３；ＲＯＭ
４；ＲＡＭ
５；メール作成手段
６；プリンタコントローラ
７；プリンタ部
８；後処理装置用Ｉ／Ｆ
９；後処理装置
１０；操作パネル
１１；スキャナ用インターフェース
１２；スキャナ部
１３；自動原稿送り装置（ＤＦ）
１４；バッファーメモリ
１５；ビットマップメモリ
１６；ＣＯＤＥＣ
１７；モデム
１８；ＮＣＵ
１９；公衆回線
２０；ネットワークＩ／Ｆ
２１；バス
２２；ネットワークケーブル
２３；プリンタ
２４、２５；ＰＣ
２６；相手方ファクシミリ
【図１】
2005049548.tif 000003
【図２】
2005049548.tif 000004
【図３】
2005049548.tif 000005
【図４】
2005049548.tif 000006
【図５】
2005049548.tif 000007
【図６】
2005049548.tif 000008
【図７】
2005049548.tif 000009
【図８】
2005049548.tif 000010
【図９】
2005049548.tif 000011
【図１０】
2005049548.tif 000012